(57)【要約】【課題】  クレジットカード、キャッシュカード等の個体識別を必要とするカード等の情報記録媒体において、記録情報の改ざんや媒体上の印刷模様そのものの偽造を防止することを目的とするものである。【解決手段】    ＩＣチップ、特殊インキ又は磁気記録等による少なくとも一つの第１の不可視情報を有する不可視情報記録部と、複数の画線から成る模様を少なくとも一つ有する印刷模様とを備え、複数の画線は、複数の細画線から成り、細画線の隣り合う画線の間隔が、埋め込まれる少なくとも一つの第２の不可視情報に対応して設定され、第１の不可視情報と第２の不可視情報とが関連付いた情報であることを特徴とする不可視情報記録媒体とその記録装置及び記録方法並びに真偽判別装置とその真偽判別方法である。【選択図】  図１
2009187086.tif 000002
【特許請求の範囲】
【請求項１】
ＩＣチップ、特殊インキ又は磁気記録等による少なくとも一つの第１の不可視情報を有する不可視情報記録部と、複数の画線から成る模様を少なくとも一つ有する印刷模様とを備え、前記複数の画線は、複数の細画線から成り、前記細画線の隣り合う画線の間隔が、埋め込まれる少なくとも一つの第２の不可視情報に対応して設定され、前記第１の不可視情報と前記第２の不可視情報とが関連付いた情報であることを特徴とする不可視情報記録媒体。
【請求項２】
前記複数の画線から成る模様は、前記複数の画線を構成する前記細画線が長手方向と直交する方向に延びる分断画線であり、前記細画線の長手方向に沿って所定の間隔を有するように前記分断画線が複数配置された第１の模様を有し、前記分断画線における間隔は、前記埋め込まれる第２の不可視情報に対応して設定されていることを特徴とする請求項１記載の不可視情報記録媒体。
【請求項３】
前記複数の画線における夫々の画線は、前記分断画線が等しい間隔で設定され、前記複数の画線が二種類以上の間隔の分断画線から成り、前記種類ごとに異なる分断画線の所定の間隔が、夫々異なる前記第２の不可視情報に対応して設定されていることを特徴とする請求項１又は２記載の不可視情報記録媒体。
【請求項４】
前記複数の分断画線は、互いに隣接する前記分断画線が成す複数の間隔が夫々埋め込まれる前記第２の不可視情報に対応して設定されたユニットを備え、前記ユニットが同じ構成によって複数連続的に配置されてユニット画線が構成されていることを特徴とする請求項１又は２記載の不可視情報記録媒体。
【請求項５】
前記第１の模様は、複数の領域に分けられ、前記複数の領域に分けられた各領域の前記分断画線の間隔は、埋め込まれる前記第２の不可視情報に対応して夫々設定されており、前記各領域に埋め込まれる前記第２の不可視情報は、領域ごとに異なることを特徴とする請求項１、２、３又は４記載の不可視情報記録媒体。
【請求項６】
前記複数の画線から成る模様は、前記複数の画線を構成する前記細画線が法線方向に沿って並列された複数の画線を含むユニット画線によって構成された第２の模様、第３の模様、・・・、第ｎ−１の模様及び第ｎの模様（ｎは３以上の整数）のうち少なくとも一つを有し、前記ユニット画線における前記複数の画線が成す前記法線方向の各線の中心間の距離及び／又は余白の間隔は、前記第２の模様、前記第３の模様、・・・、前記第ｎ−１の模様及び前記第ｎの模様ごとに埋め込まれる前記第２の不可視情報に対応して同じように、又は異なるように設定されていることを特徴とする請求項１記載の不可視情報記録媒体。
【請求項７】
前記複数の画線から成る模様は、前記第１の模様と、前記第２の模様、前記第３の模様、・・・、前記第ｎ−１の模様及び前記第ｎの模様のうち少なくとも一つを有し、前記第１の模様の分断画線における間隔は、埋め込まれる前記第２の不可視情報に対応して設定され、前記第２の模様、前記第３の模様、・・・、前記第ｎ−１の模様及び前記第ｎの模様のユニット画線における複数の画線が成す法線方向の各線の中心間の距離及び／又は余白の間隔は、前記第１の模様に埋め込まれる前記第２の不可視情報とは異なり、かつ、前記第２の模様、前記第３の模様、・・・、前記第ｎ−１の模様及び前記第ｎの模様ごとに埋め込まれる不可視情報に対応して同じように、又は異なるように設定されていることを特徴とする請求項１、２、３、４、５又は６記載の不可視情報記録媒体。
【請求項８】
基材に、第２の不可視情報を有する複数の画線から成る模様を少なくとも一つ有する印刷模様を備えた記録媒体において、前記第２の不可視情報に関連付けた第１の不可視情報を前記記録媒体に記録又は付与する不可視情報の記録方法であって、
前記記録媒体を光学的に画像を取得するステップと、前記取得した画像から、前記基材に印刷された複数の画線から成る模様における前記第２の不可視情報を読み取るステップと、前記読み取った第２の不可視情報と関連付けた前記第１の不可視情報を、ＩＣチップ、機能性インキを用いた模様又は磁気記録等の前記記録媒体上の情報記録部に記録又は付与するステップとを備えたことを特徴とする不可視情報の記録方法。
【請求項９】
基材に、第２の不可視情報を有する複数の画線から成る模様を少なくとも一つ有する印刷模様を備えた記録媒体において、前記第２の不可視情報に関連付けた第１の不可視情報を前記記録媒体に記録又は付与する不可視情報の記録装置であって、
前記第２の不可視情報を有する複数の画線から成る模様の画像を取得する光学読み取り部と、前記光学読み取り部で取得した前記複数の画線から成る模様の前記第２の不可視情報を抽出し、前記第２の不可視情報に関連付けて前記記録媒体に記録又は付与するための不可視情報を、前記第１の不可視情報として処理するプロセッサ部と、前記プロセッサ部によって処理された前記第１の不可視情報を、ＩＣチップ、機能性インキを用いた模様又は磁気記録等の前記記録媒体上の情報記録部に記録又は付与する記録部とを少なくとも有する不可視情報の記録装置。
【請求項１０】
第１の不可視情報が、ＩＣチップ、機能性インキを用いた模様又は磁気記録等に記録又は付与された情報記録部と、第２の不可視情報を有する複数の画線から成る模様とを備え、前記第１の不可視情報と前記第２の不可視情報は関連付いた情報であり、前記複数の画線から成る模様は、複数の細画線から成り、前記細画線の隣り合う画線の間隔が前記第２の不可視情報に対応して設定された不可視情報記録媒体において、前記第１の不可視情報と前記第２の不可視情報の関連付けが一致しているか否かを判定する真偽判別装置であって、
前記記録媒体における前記複数の画線から成る模様の画像を取得する画像入力部と、前記画像入力部で取得した前記複数の画線から成る模様の画像から前記第２の不可視情報を抽出する光学読み取り部と、前記第２の不可視情報と前記情報記録部に記録されている第１の不可視情報との関連付けが一致しているか否かを判定するプロセッサ部とを少なくとも備えたことを特徴とする不可視情報記録媒体の真偽判別装置。
【請求項１１】
第１の不可視情報が、ＩＣチップ、機能性インキを用いた模様又は磁気記録等に記録又は付与された情報記録部と、第２の不可視情報を有する複数の画線から成る模様とを備え、前記第１の不可視情報と前記第２の不可視情報は関連付いた情報であり、前記複数の画線から成る模様は、複数の細画線から成り、前記細画線の隣り合う画線の間隔が前記第２の不可視情報に対応して設定された不可視情報記録媒体において、前記第１の不可視情報と前記第２の不可視情報の関連付けが一致しているか否かを判定する真偽判別方法であって、
前記記録媒体における前記複数の画線から成る模様の画像を取得するステップと、前記取得した複数の画線から成る模様の画像から前記第２の不可視情報を光学的に抽出するステップと、前記第２の不可視情報と前記情報記録部に記録されている第１の不可視情報との関連付けが一致しているか否かを判定するステップとを少なくとも含むことを特徴とする不可視情報記録媒体の真偽判別方法。
【発明の詳細な説明】
【技術分野】
【０００１】
本発明は、銀行券、各種有価証券、証明書等の個体識別を必要とするカード類を主とした記録情報の改ざん防止及び偽造防止に関するものである。
【背景技術】
【０００２】
金銭取引をする上でクレジットカード、キャッシュカード等のカードの役割が一層高まっている。これらのカードが固有のものであることを証明するものとして、カード上に備わった記録情報部の記録情報があり、この記録情報を読み取り、判別することによって簡便に金銭取引ができる。
【０００３】
例えば、磁気ストライプ式カードでは、磁性体から成る磁気ストライプ部を設け、この磁気ストライプ部に記録情報として個別の識別情報を格納する。しかしながら、磁気ストライプ部は、カードの一部分に施されているに過ぎず、磁気ストライプ上の記録情報には、不正な読み書きを防止する仕組みはないため、それが真正であるか、偽りであるかを見極めるのは困難である。また、昨今では“スキミング”と呼ばれる犯罪もあり、不心得者が磁気ストライプ式カードに備えられた磁気ストライプ部からＩＤ情報等の記録情報を抽出し、抽出された記録情報によって容易に変造カードが作られてしまうという欠点がある。
【０００４】
こうした磁気ストライプ式カードのセキュリティ性を補う上で、最近ではＩＣチップを内蔵した、通称ＩＣカードと呼ばれるカードが広く普及している。ＩＣカードは、磁気ストライプ式カードの脆弱性が考慮され、ＩＣチップによってアクセス制御を可能にしている。さらに、ＩＣカードは、ＩＣチップに接続された端子又は内蔵アンテナを用い、ＩＣカード専用送受信端末と電子信号を介して記録情報を送受信することによって、その利便性を高めており、最近では、内蔵アンテナにて通信を行う非接触ＩＣカードが広く普及している。
【０００５】
ＩＣカードと、ＩＣカード専用送受信端末との関係で重要なのは、送受信する電子信号の通信プロトコルの統一と暗号化といった、通信におけるセキュリティ性である。ＩＣチップと共通の通信プロトコルから成る信号を使うことにより、ＩＣカードではない形態、例えば、携帯電話機のようなモバイル端末でもＩＣカード専用送受信端末との送受信を可能にすることができる。
【０００６】
しかし、こうした高い利便性だけを追求した場合は、ＩＣカード及びその周辺環境におけるセキュリティはが通信のセキュリティのみになってしまうという危険性もある。例えば、ＩＣカードの認証に使用する通信プロトコルから成る電子信号の暗号も、高速計算の可能なコンピュータから成る素因数分解等によって解読される危険性もある。
【０００７】
また、情報が記録されたカード等の偽造防止効果を高めるために、磁気ストライプに記録された情報とＩＣチップに記録された情報、更にはカード自体の変造を防止するために強磁性材箔から成る複製困難な識別体にＩＤ固有情報を持たせ、それぞれの情報をリンクさせた偽造防止効果を高めたＩＣカードが提案されている（例えば、特許文献１参照）。
【０００８】
確かに特許文献１による技術では、カード自体の変造が可能であったり、一つの情報だけを解読されても、他の情報とのリンクがされていなければ、偽造及び変造されたカードであることが容易に判別することができるところであるが、やはり、磁気情報及びＩＣチップに記録されている情報は、“スキミング”により磁気情報を抽出されてしまったり、高速計算の可能なコンピュータから成る素因数分解等によって解読されてしまう危険性がある。
【０００９】
つまり、識別情報を、磁気ストライプ式カードの記録情報又はＩＣカードの通信プロトコルから成る電子信号だけに依存するのは、セキュリティ性からかんがみて不十分である。したがって、容易に偽造及び改ざんできず、電子信号を介さない物質媒体から成る技術と関連付けて、そのセキュリティ性を高めることが求められている。
【００１０】
【特許文献１】特開２００１-２０２４９１号公報
【発明の開示】
【発明が解決しようとする課題】
【００１１】
本発明は、ＩＣチップ、特殊インキ又は磁気記録等による少なくとも一つの第１の不可視情報を有する不可視情報記録部を備えたカードにおいて、カード上の印刷模様の中に不可視な特徴を設け、さらに、印刷模様に備えられた識別情報とカードのＩＤ情報とを関連付けて不可視情報記録部の記録情報として記録し、印刷模様に備えられた識別情報とカードのＩＤ情報との整合性を確認することにより、カードの偽造を防止することを目的とするものである。
【００１２】
また、印刷模様中の識別情報を、光学式画像読み取り部から得た画像を光学画像処理によって抽出し、カードのＩＤ情報と識別情報とを、電子信号送受信処理によってカードに備えられた記録情報部に記録することを目的とするものである。
【００１３】
さらに、真偽判定装置によって、光学式画像読み取り部から得た印刷模様中の識別情報を取得し、真偽判定者が手入力した記録情報と地紋模様に備わっている識別情報とカードのＩＤ情報との関連付けが一致しているか否かを判定することによって、確実に真偽判定が行えることを目的とするものである。
【課題を解決するための手段】
【００１４】
本発明は、ＩＣチップ、特殊インキ又は磁気記録等による少なくとも一つの第１の不可視情報を有する不可視情報記録部と、複数の画線から成る模様を少なくとも一つ有する印刷模様とを備え、複数の画線は、複数の細画線から成り、細画線の隣り合う画線の間隔が、埋め込まれる少なくとも一つの第２の不可視情報に対応して設定され、第１の不可視情報と第２の不可視情報とが関連付いた情報であることを特徴とする不可視情報記録媒体である。
【００１５】
本発明の不可視情報記録媒体における複数の画線から成る模様は、複数の画線を構成する細画線が長手方向と直交する方向に延びる分断画線であり、細画線の長手方向に沿って所定の間隔を有するように分断画線が複数配置された第１の模様を有し、分断画線における間隔は、埋め込まれる第２の不可視情報に対応して設定されていることを特徴とする。
【００１６】
本発明の不可視情報記録媒体における複数の画線における夫々の画線は、分断画線が等しい間隔で設定され、複数の画線が二種類以上の間隔の分断画線から成り、種類ごとに異なる分断画線の所定の間隔が、それぞれ異なる第２の不可視情報に対応して設定されていることを特徴とする。
【００１７】
本発明の不可視情報記録媒体における複数の分断画線は、互いに隣接する分断画線が成す複数の間隔が夫々埋め込まれる第２の不可視情報に対応して設定されたユニットを備え、ユニットが同じ構成によって複数連続的に配置されてユニット画線が構成されていることを特徴とする。
【００１８】
本発明の不可視情報記録媒体における第１の模様は、複数の領域に分けられ、複数の領域に分けられた各領域の分断画線の間隔は、埋め込まれる第２の不可視情報に対応して夫々設定されており、各領域に埋め込まれる第２の不可視情報は、領域ごとに異なることを特徴とする。
【００１９】
本発明の不可視情報記録媒体における複数の画線から成る模様は、複数の画線を構成する細画線が法線方向に沿って並列した複数の画線を含むユニット画線によって構成された第２の模様、第３の模様、・・・、第ｎ−１の模様及び第ｎの模様（ｎは３以上の整数）のうち少なくとも一つを有し、ユニット画線における複数の画線が成す法線方向の各線の中心間の距離及び／又は余白の間隔は、第２の模様、第３の模様、・・・、第ｎ−１の模様及び第ｎの模様ごとに埋め込まれる第２の不可視情報に対応して同じように、又は異なるように設定されていることを特徴とする。
【００２０】
本発明の不可視情報記録媒体における複数の画線から成る模様は、第１の模様と、第２の模様、第３の模様、・・・、第ｎ−１の模様及び第ｎの模様のうち少なくとも一つを有し、第１の模様の分断画線における間隔は、埋め込まれる第２の不可視情報に対応して設定され、第２の模様、第３の模様、・・・、第ｎ−１の模様及び第ｎの模様のユニット画線における複数の画線が成す法線方向の各線の中心間の距離及び／又は余白の間隔は、第１の模様に埋め込まれる第２の不可視情報とは異なり、かつ、第２の模様、第３の模様、・・・、第ｎ−１の模様及び第ｎの模様ごとに埋め込まれる不可視情報に対応して同じように、又は異なるように設定されていることを特徴とする。
【００２１】
本発明は、基材に、第２の不可視情報を有する複数の画線から成る模様を少なくとも一つ有する印刷模様を備えた記録媒体において、第２の不可視情報に関連付けた第１の不可視情報を記録媒体に記録又は付与する不可視情報の記録方法であって、記録媒体を光学的に画像を取得するステップと、取得した画像から、基材に印刷された複数の画線から成る模様における第２の不可視情報を読み取るステップと、読み取った第２の不可視情報と関連付けた第１の不可視情報を、ＩＣチップ、機能性インキを用いた模様又は磁気記録等の記録媒体上の情報記録部に記録又は付与するステップとを備えたことを特徴とする不可視情報の記録方法である。
【００２２】
本発明は、基材に、第２の不可視情報を有する複数の画線から成る模様を少なくとも一つ有する印刷模様を備えた記録媒体において、第２の不可視情報に関連付けた第１の不可視情報を記録媒体に記録又は付与する不可視情報の記録装置であって、第２の不可視情報を有する複数の画線から成る模様の画像を取得する光学読み取り部と、光学読み取り部で取得した複数の画線から成る模様の第２の不可視情報を抽出し、第２の不可視情報に関連付けて記録媒体に記録又は付与するための不可視情報を、第１の不可視情報として処理するプロセッサ部と、プロセッサ部によって処理された第１の不可視情報を、ＩＣチップ、機能性インキを用いた模様又は磁気記録等の記録媒体上の情報記録部に記録又は付与する記録部とを少なくとも有する不可視情報の記録装置である。
【００２３】
本発明は、第１の不可視情報が、ＩＣチップ、機能性インキを用いた模様又は磁気記録等に記録又は付与された情報記録部と、第２の不可視情報を有する複数の画線から成る模様とを備え、第１の不可視情報と第２の不可視情報は関連付いた情報であり、複数の画線から成る模様は、複数の細画線から成り、細画線の隣り合う画線の間隔が第２の不可視情報に対応して設定された不可視情報記録媒体において、第１の不可視情報と第２の不可視情報の関連付けが一致しているか否かを判定する真偽判別装置であって、記録媒体における複数の画線から成る模様の画像を取得する画像入力部と、画像入力部で取得した複数の画線から成る模様の画像から第２の不可視情報を抽出する光学読み取り部と、第２の不可視情報と情報記録部に記録されている第１の不可視情報との関連付けが一致しているか否かを判定するプロセッサ部とを少なくとも備えたことを特徴とする不可視情報記録媒体の真偽判別装置である。
【００２４】
本発明は、第１の不可視情報が、ＩＣチップ、機能性インキを用いた模様又は磁気記録等に記録又は付与された情報記録部と、第２の不可視情報を有する複数の画線から成る模様とを備え、第１の不可視情報と第２の不可視情報は関連付いた情報であり、複数の画線から成る模様は、複数の細画線から成り、細画線の隣り合う画線の間隔が第２の不可視情報に対応して設定された不可視情報記録媒体において、第１の不可視情報と第２の不可視情報の関連付けが一致しているか否かを判定する真偽判別方法であって、記録媒体における複数の画線から成る模様の画像を取得するステップと、取得した複数の画線から成る模様の画像から第２の不可視情報を光学的に抽出するステップと、第２の不可視情報と情報記録部に記録されている第１の不可視情報との関連付けが一致しているか否かを判定するステップとを少なくとも含むことを特徴とする不可視情報記録媒体の真偽判別方法である。
【発明の効果】
【００２５】
ＩＣチップ、特殊インキ又は磁気記録等による少なくとも一つの第１の不可視情報を有する不可視情報記録部を備えたカード等の媒体において、媒体上の印刷模様の中に不可視な特徴を設け、さらに、印刷模様に備えられた識別情報と媒体のＩＤ情報とを関連付けて不可視情報記録部の記録情報として記録し、印刷模様に備えられた識別情報と媒体のＩＤ情報との整合性を確認することにより偽造を防止できる。
【００２６】
また、印刷模様中の識別情報を、光学式画像読み取り部から得た画像を光学画像処理によって抽出し、媒体のＩＤ情報と識別情報とを、電子信号送受信処理によって媒体に備えられた記録情報部に記録できる。
【００２７】
さらに、真偽判定装置によって、光学式画像読み取り部から得た印刷模様中の識別情報を取得し、真偽判定者が手入力した記録情報と地紋模様に備わっている識別情報と媒体のＩＤ情報との関連付けが一致しているか否かを判定することによって、確実に真偽判定することができる。
【発明を実施するための最良の形態】
【００２８】
本発明は、不可視情報記録部を備えた不可視情報記録媒体である。以下に、本発明の情報記録媒体を図面を用いて詳細に説明する。なお、本発明を実施するための最良の形態では、磁気ストライプ式カードの例で説明するが、これに限定されるものではなく、特許請求の範囲における技術的思想に基づいて実施することが可能である。
【００２９】
磁気ストライプ式カードの不可視情報記録部である磁気ストライプ部は、磁性体から成る磁気ストライプ式に個別の記録情報が記録されているのが一般的である。これによって唯一の物であることの証となる。すなわち、カードはすべて同じ形態で個性がないが故に、磁気ストライプ部の記録された記録情報によって不可視な個性を付与されたものともいえる。
【００３０】
そこで、本発明は、カード上の印刷模様の中にも不可視な特徴を設け、更にその不可視な特徴に関連付いた記録情報を磁気ストライプ部に記録することによって、記録情報の改ざんやカード上の印刷模様そのものの偽造を防止することを目的とするものである。
【００３１】
図１は、本発明のカードの一例を示したものである。磁気ストライプ式カード２には、地紋模様１と磁気ストライプ部Ｎとを備えている。磁気ストライプ部Ｎには、記録情報が磁気記録され、記録情報中には、磁気ストライプ式カード２のＩＤ情報コードｎ１と地紋模様１に施された識別情報コードｎ２が構成されている。すなわち、図１に示す磁気ストライプ式カード２の磁気ストライプ部Ｎは、ＩＤ情報コードｎ１に加えて地紋模様１中の識別情報Ａを関連付けて記録したものである。
【００３２】
地紋模様１に施された識別情報Ａは、特願２００２−１５１９に示された画線構成を成すもので、複数本の細画線の地紋画線を長手方向に沿って所定の間隔をもって分断した分断画線で構成し、分断画線における間隔は、埋め込まれる識別情報に対応している。分断する間隔が微細であるが故に、肉眼視で識別することができず、不可視な情報として地紋模様１中に設けることができる。
【００３３】
一方、図２に示す磁気ストライプ式カード２には、図１と同じように地紋模様１と磁気ストライプ部Ｎとを備えている。磁気ストライプ部Ｎには、記録情報が磁気記録され、記録情報中には、磁気ストライプ式カード２のＩＤ情報コードｎ１と地紋模様１に施された識別情報コードｎ２が構成されている。すなわち、図２に示す磁気ストライプ式カード２の磁気ストライプ部Ｎは、ＩＤ情報コードｎ１に加えて地紋模様１中の識別情報Ｂを関連付けて記録したものである。
【００３４】
地紋模様１に施された識別情報Ｂは、特願２００２−１５１９に示された画線構成を成すもので、複数本の細画線の地紋画線を長手方向に沿って所定の間隔をもって分断した分断画線で構成し、分断画線における間隔は、埋め込まれる識別情報に対応している。分断する間隔が微細であるが故に、肉眼視で識別することができず、不可視な情報として地紋模様１中に設けることができる。
【００３５】
図１及び図２に示す磁気ストライプ部を施すことによって、不心得者が磁気ストライプ部を記録情報を改ざんしたとしても、第３者による真偽判定の際に、改ざんされた記録情報から地紋模様１の識別情報とＩＤ情報との関連付けを確認できないので、そのカードは、悪意によって偽造されたものと容易に判断することができる。
【００３６】
図３は、図１の磁気ストライプ式カード２の製造段階で、例えば、１６面に図１及び図２のような異なる識別情報を設けて多面印刷したときの状態を示したものである。多面シート３に向かって左端の列は、図１に示した識別情報Ａを備え、左から２列目は、図２に示した識別情報Ｂを備え、他の列においても同様に異なる識別情報を設けている。また、図４の多面シート４は、図３の多面シート３の例と同様に印刷面が１６面であり、すべての面に異なる識別情報を設けている。このように、多面印刷によってカードの地紋模様１を記録する際に、夫々異なる識別情報を有する地紋模様１を用意することができる。
【００３７】
次に、磁気ストライプ式カード２に複数の識別情報を設けた例を説明する。図５は、地紋模様１を二つの領域に分け、一方を識別情報Ａ、他方を識別情報Ｅとし、磁気ストライプ式カード２には、地紋模様１と磁気ストライプ部Ｎとが備えられている。磁気ストライプ部Ｎには、記録情報が磁気記録され、記録情報中には、磁気ストライプ式カード２のＩＤ情報コードｎ１と地紋模様１に施された二つの識別情報コードｎ２とｎ３が構成されている。すなわち、磁気ストライプ式カード２の磁気ストライプ部Ｎは、ＩＤ情報コードｎ１に加えて地紋模様１中の識別情報Ａに対応した識別情報コードｎ２と、識別情報Ｅに対応した識別情報コードｎ３を関連付けて記録したものである。
【００３８】
それぞれの識別情報の違いは、図１及び図２で説明した地紋模様と同様に、特願２００２−１５１９に示された画線構成を成すもので、地紋画線を長手方向に沿って所定の間隔をもって分断した分断画線で構成し、分断画線における間隔は、埋め込まれる識別情報に対応している。また、図５の例では、地紋模様１を４分割し、中心を点対称として交互に異なる識別情報を施している。分断する間隔が微細であるが故に、肉眼視で識別することができず、不可視な情報として地紋模様１中に設けることができる。
【００３９】
また、図６の多面シート５は、図３及び図４の例で説明した多面シートの例と同様に印刷面が１６面であり、多面シート５の向かって左側の列から異なる識別情報Ａ、Ｂ、Ｃ、Ｄを設け、向かって上側の行から異なる識別情報Ｅ、Ｆ、Ｇ、Ｈを設けている。すなわち、図５に示したような一つの地紋模様に複数の識別情報を備えたものは、縦横の識別情報の組合せにより、多面印刷によってカードの地紋模様１を記録する際に、夫々異なる識別情報を有する地紋模様１を用意することができる。
【００４０】
図７は、地紋模様１を構成する地紋画線に複数の識別情報を施した例である。磁気ストライプ式カード２には地紋模様１と磁気ストライプ部Ｎとを備えている。磁気ストライプ部Ｎには、記録情報が磁気記録され、記録情報中には、磁気ストライプ式カード２のＩＤ情報コードｎ１と地紋模様１に施された二つの識別情報コードｎ２とｎ３によって構成している。すなわち、磁気ストライプ式カード２の磁気ストライプ部Ｎは、ＩＤ情報コードｎ１に加えて地紋模様１中の識別情報Ａに対応した識別情報コードｎ２と、識別情報Ｅに対応した識別情報コードｎ３を関連付けて記録したものである。なお、地紋模様１に２種類の識別情報を備えていることから、図６の多面シート５と同様な磁気ストライプ部を設けることができる。
【００４１】
画像構成は、特願２００２−１５１９に示された画線構成を成すもので、地紋模様１の地紋画線を長手方向に沿って所定の間隔をもって分断した分断画線のうち、分断する間隔の異なるものを同じ地紋模様１中に設けている。例えば、一方の分断する間隔が異なる地紋画線を識別情報Ａとし、他方の分断する間隔が異なる地紋画線を識別情報Ｅとすることで、地紋模様１中に２種類の異なる意味を成す識別情報を施している。分断する間隔が微細であるが故に、肉眼視で識別することができず、不可視な情報として地紋模様１中に設けることができる。
【００４２】
次に、識別情報の冗長度を高めた地紋模様１の例を説明する。図８の磁気ストライプ式カード２は、地紋模様１と磁気ストライプ部Ｎとを備えている。磁気ストライプ部Ｎには、記録情報が記録され、記録情報中には、磁気ストライプ式カード２のＩＤ情報コードｎ１と地紋模様１に施された識別情報コードｎ４が構成されている。すなわち、図８に示す磁気ストライプ式カード２の磁気ストライプ部Ｎは、ＩＤ情報コードｎ１に加えて、地紋模様１中の識別情報Ｃｏｄｅ1に対応した識別情報コードｎ４が関連付けて記録されたものである。
【００４３】
地紋模様１に施された識別情報Ｃｏｄｅ1は、特願２００２−５０６０６に示された画線構成を成すもので、地紋模様１の地紋画線を長手方向に沿って所定の間隔をもって分断した分断画線が、識別情報の冗長度を高めたるために、隣接する分断線が成す複数の間隔を夫々埋め込まれる情報に対応して設定することによって特定の符号を奏している。分断する間隔が微細であるが故に、肉眼視で識別することができず、不可視な情報として地紋模様１中に設けることができる。
【００４４】
また、図９は、地紋模様１を二つの領域に分け、一方を識別情報Ｃｏｄｅ１、他方を識別情報Ｃｏｄｅ２とし、磁気ストライプ式カード２には、地紋模様１と磁気ストライプ部Ｎとを備えている。磁気ストライプ部Ｎには、記録情報が磁気記録され、記録情報中には、磁気ストライプ式カード２のＩＤ情報コードｎ１と地紋模様１に施された二つの識別情報コードｎ４とｎ５が構成されている。すなわち、磁気ストライプ式カード２の磁気ストライプ部Ｎは、ＩＤ情報コードｎ１に加えて、地紋模様１中の識別情報Ｃｏｄｅ１に対応した識別情報コードｎ４と、識別情報Ｃｏｄｅ２に対応した識別情報コードｎ５が関連付けて記録されたものである。
【００４５】
それぞれ識別情報の違いは、図８で説明した地紋模様と同様に特願２００２−５０６０６に示された画線構成を成すもので、地紋画線を長手方向に沿って所定の間隔をもって分断した分断画線が、識別情報の冗長度を高めたるために、隣接する分断線が成す複数の間隔を夫々埋め込まれる情報に対応して設定することによって特定の符号を奏している。また、図９の例では、地紋模様１を４分割し、中心を点対称として交互に異なる識別情報を施している。分断する間隔が微細であるが故に、肉眼視で識別することができず、不可視な情報として地紋模様１中に設けることができる。
【００４６】
図１０は、幾何学模様を成す彩紋エレメント６と磁気ストライプ部Ｎとを備えている。磁気ストライプ部Ｎには、記録情報が磁気記録され、記録情報中には、磁気ストライプ式カード２のＩＤ情報コードｎ１と彩紋エレメント６に施された識別情報コードｎ６が構成されている。識別情報Ｃｏｄｅ３は、幾何学模様の意匠の中に含まれてしまうため、不可視な情報として彩紋エレメント６中に設けることができる。すなわち、図１０に示す磁気ストライプ式カード２の磁気ストライプ部Ｎは、ＩＤ情報コードｎ１に加えて彩紋エレメント６の識別情報Ｃｏｄｅ３に対応した識別情報コードｎ６が関連付けて記録されたものである。
【００４７】
彩紋エレメント６に施された識別情報Ｃｏｄｅ３は、特願２００５−９６７５８に示された画線構成を成すもので、彩紋エレメント６を構成する画線の一部に、並列された複数の画線が成す法線方向の夫々の間隔を、埋め込まれる情報に対応して設定することによって特定の符号を奏している。
【００４８】
さらに、図１１は、彩紋エレメント６を二つ設け、一方を識別情報Ｃｏｄｅ３、他方を識別情報Ｃｏｄｅ４とし、識別情報Ｃｏｄｅ３及び識別情報Ｃｏｄｅ４は、幾何学模様の意匠の中に含まれてしまうため、不可視な情報として彩紋エレメント６中に設けることができる。磁気ストライプ式カード２は、彩紋エレメント６と磁気ストライプ部Ｎとを備えている。磁気ストライプ部Ｎには、記録情報が磁気記録され、記録情報中には、磁気ストライプ式カード２のＩＤ情報コードｎ１と彩紋エレメント６に施された二つの識別情報コードｎ６とｎ７が構成されている。すなわち、磁気ストライプ式カード２の磁気ストライプ部Ｎは、記録情報に加えて、彩紋エレメント６の識別情報Ｃｏｄｅ３に対応した識別情報コードｎ６と、識別情報Ｃｏｄｅ４に対応した識別情報コードｎ７が関連付けて記録されたものである。
【００４９】
それぞれの識別情報の違いは、図１０で説明した彩紋エレメント６と同様に、特願２００５−９６７５８に示された画線構成を成すもので、彩紋エレメント６を構成する画線の一部に、並列された複数の画線が成す法線方向の夫々の間隔を、埋め込まれる情報に対応して設定することによって特定の符号を奏している。
【００５０】
図１２は、図１１で説明したものと同様の彩紋エレメント６を二つ設け、一方を識別情報Ｃｏｄｅ３、他方を識別情報Ｃｏｄｅ４とし、また、図１で説明した識別情報Ａを有する地紋模様１を背景に設けている。磁気ストライプ式カード２には、彩紋エレメント６と地紋模様１と磁気ストライプ部Ｎとが印刷されている。磁気ストライプ部Ｎには、記録情報が磁気記録され、記録情報中には、磁気ストライプ式カード２のＩＤ情報コードｎ１と彩紋エレメント６に施された二つの識別情報コードｎ６とｎ７と地紋模様１の識別情報コードｎ２が構成されている。すなわち、磁気ストライプ式カード２の磁気ストライプ部Ｎは、ＩＤ情報コードｎ１に加えて、彩紋エレメント６の識別情報Ｃｏｄｅ３に対応した識別情報コードｎ６と、識別情報Ｃｏｄｅ４に対応した識別情報コードｎ７と、地紋模様１中の識別情報Ａに対応した識別情報コードｎ２が関連付けて記録されたものである。
【００５１】
以上のように、カード上の地紋模様１及び彩紋エレメント６に施された情報が磁気ストライプ部Ｎと関連付けされることによって、磁気ストライプ部Ｎの記録情報の改ざんやカード上の印刷模様そのものの偽造を困難にさせることができる。また、地紋模様１及び彩紋エレメント６に施された情報の組合せは本願実施例に限るものではなく、バーコード、二次元コード等の光学的に識別情報を識別できる模様を含めて様々な組合せをもって磁気ストライプ部Ｎと関連付けすることができる。また、さらに、磁気ストライプ部Ｎに施された記録情報の関連付けを容易に判読することができなくするように、所定の乱数等によって暗号化すると一層偽造防止策として有効である。
【００５２】
次に本発明の記録情報を磁気ストライプ部Ｎに記録する方法について説明する。図１３は、記録情報を磁気ストライプ部Ｎに磁気記録するまでの基本的なフローを示したものである。
【００５３】
まず、ステップｆ１では、磁気ストライプ式カード２の表面の光学式読み取りを行う。次にステップｆ２では、地紋模様１及び／又は彩紋エレメント６の識別情報を取得する。この識別情報の取得については、後述の光学式読み取り部７を用いる。次にステップｆ３では、後述のプロセッサ部８の処理にてＩＤ情報に識別情報を付加する。次にステップｆ４では、磁気ストライプ部ＮにＩＤ情報と識別情報を関連付けて記録するものである。
【００５４】
次に本発明の記録情報を磁気ストライプ部に記録する磁気記録装置について説明する。
【００５５】
本発明の磁気記録装置は、図１４に示されたような磁気記録処理装置９であり、光学読み取り部７、プロセッサ部８、磁気読み取り記録部１０を備え、併せて、挿入部１１、搬送部１２、排出部１３を備えている。
【００５６】
挿入部１１は、磁気ストライプ式カード２を磁気記録処理装置９内に挿入し、光学読み取り部７に磁気ストライプ式カード２を送る。
【００５７】
光学読み取り部７は、ＣＣＤカメラ又はＣＣＤラインセンサ等の光学式画像読み取り装置を備えている。光学読み取り部７にて、挿入部１１で挿入された磁気ストライプ式カード２の地紋模様１及び／又は彩紋エレメント６が画像入力される。
【００５８】
プロセッサ部８は、光学読み取り部７から得た地紋模様１及び／又は彩紋エレメント６中の識別情報を抽出し、磁気ストライプ式カード２の磁気ストライプ部Ｎに記録するための記録情報に、抽出した識別情報に対応した識別情報を付加する処理をする。
【００５９】
搬送部１２は、光学読み取り部７で画像入力した磁気ストライプ式カード２を磁気読み取り記録部１０に搬送する。
【００６０】
磁気読み取り記録部１０は、プロセッサ部８によって処理された記録情報を、搬送部１２から搬送された磁気ストライプ式カード２に記録する。
【００６１】
排出部１３は、磁気読み取り記録部１０によって磁気ストライプ部Ｎに記録情報が記録された磁気ストライプ式カード２を磁気記録処理装置９から排出する。
【００６２】
次に、本発明の磁気ストライプ式カード２を真偽判定する装置ついて説明する。真偽判別装置は、図１４で説明した記録情報を磁気ストライプ部に記録する装置と兼ねている。
【００６３】
光学読み取り部７は、ＣＣＤカメラ又はＣＣＤラインセンサ等の光学式画像読み取り装置を備えている。光学読み取り部７にて、挿入部１１で挿入された磁気ストライプ式カード２の地紋模様１及び／又は彩紋エレメント６が画像入力される。
【００６４】
プロセッサ部８は、光学読み取り部７から得た地紋模様１及び／又は彩紋エレメント６中の識別情報を抽出し、磁気ストライプ部Ｎの記録されているＩＤ情報と識別情報との関連付けが一致しているか否かを判定する。
【００６５】
次に、本発明の磁気ストライプ式カード２を真偽判定する方法について説明する。図１５は、磁気ストライプ式カード２を真偽判定する方法の基本的なフローを示したものである。
【００６６】
まず、ステップｆ５では、磁気記録処理装置９の光学読み取り部７が磁気ストライプ式カード２の光学式読み取りを行う。例えば図１０の磁気ストライプ式カード２の彩紋エレメント６を、図１４で示されたような磁気記録処理装置９の構成を有する装置を用い、磁気ストライプ式カード２の表面の光学式読み取りを行う。次にステップｆ６では、光学読み取り部７から得た画像データをプロセッサ部８が解析し、地紋模様１及び／又は彩紋エレメント６の識別情報を取得する。
【００６７】
次に、ステップｆ７では、磁気記録処理装置９の磁気読み取り記録部１０が磁気ストライプ式カード２の磁気ストライプ部Ｎに施されているＩＤ情報の読み取りを行い、ステップｆ８では、磁気ストライプ式カード２上の磁気ストライプ部ＮのＩＤ情報を取得する。次にステップｆ９では、磁気ストライプ部Ｎの記録されているＩＤ情報と識別情報との関連付けが一致しているか否かを判定する。ＩＤ情報と識別情報が一致した場合は、ステップｆ１０に進み、磁気ストライプ式カード２が真正物であると判定し、ＩＤ情報と識別情報が一致しない場合は、ステップｆ１１に進み、磁気ストライプ式カード２が真正物ではないと判定する。
【００６８】
なお、発明を実施するための最良の形態では磁気ストライプ式カードの例で説明していが、不可視記録情報部はＩＣチップ、機能性インキ等、不可視情報として記録できるものであれば、その手段を何ら限定するものではない。
【図面の簡単な説明】
【００６９】
【図１】ＩＤ情報コードｎ１に加えて地紋模様１中の識別情報Ａを関連付けて記録されたカードの全体図である。
【図２】ＩＤ情報コードｎ１に加えて地紋模様１中の識別情報Ｂを関連付けて記録されたカードの全体図である。
【図３】ＩＤ情報コードｎ１に加えて地紋模様１中の識別情報Ａに対応した識別情報コードｎ２と、識別情報Ｅに対応した識別情報コードｎ３を関連付けて記録されたカードの全体図である。
【図４】図１及び図２のように異なる識別情報を設けて多面印刷した全体図である。
【図５】地紋模様１を４分割し、中心を点対称として交互に異なる識別情報が施されたカードの全体図である。
【図６】記録情報の磁気ストライプ部に加えて、地紋模様１中の１６種類の識別情報Ａを関連付けて記録した全体図である。
【図７】地紋模様１を構成する地紋画線に複数の識別情報を施した全体図である。
【図８】ＩＤ情報コードｎ１に加えて、地紋模様１中の識別情報Ｃｏｄｅ１に対応した識別情報コードｎ４を関連付けて記録されたカードの全体図である。
【図９】ＩＤ情報コードｎ１に加えて、地紋模様１中の識別情報Ｃｏｄｅ１に対応した識別情報コードｎ４と、識別情報Ｃｏｄｅ２に対応した識別情報コードｎ５を関連付けて記録されたカードの全体図である。
【図１０】ＩＤ情報コードｎ１に加えて彩紋エレメント６の識別情報Ｃｏｄｅ３に対応した識別情報コードｎ６を関連付けて記録されたカードの全体図である。
【図１１】ＩＤ情報コードｎ１と彩紋エレメント６に施された二つの識別情報コードｎ６とｎ７によって構成されたカードの全体図である。
【図１２】ＩＤ情報コードｎ１に加えて、彩紋エレメント６の識別情報Ｃｏｄｅ３に対応した識別情報コードｎ６と、識別情報Ｃｏｄｅ４に対応した識別情報コードｎ７と、地紋模様１中の識別情報Ａに対応した識別情報コードｎ２を関連付けて記録されたカードの全体図である。
【図１３】記録情報を磁気ストライプ部に記録するまでの基本的なフローを示した図である。
【図１４】地紋模様１及び／又は彩紋エレメントが印刷済みのカードにて本発明の磁気記録処理装置を示した図である。
【図１５】磁気ストライプ式カード２を真偽判定する方法の基本的なフローを示した図である。
【符号の説明】
【００７０】
１            地紋模様
２            カード
３、４、５    多面シート
６            彩紋エレメント
７            光学式読み取り部
８            プロセッサ部
９            磁気記録処理装置
１０          記録部
１１          挿入部
１２          搬送部
１３          排出部
Ａ、Ｂ、Ｅ    識別情報
Ｃｏｄｅ１、Ｃｏｄｅ２、Ｃｏｄｅ３、Ｃｏｄｅ４      識別情報
Ｎ            磁気ストライプ部
ｎ１          ＩＤ情報
ｎ２、ｎ３、ｎ４、ｎ５、ｎ６、ｎ７                  識別情報コード
【図１】
2009187086.tif 000003
【図２】
2009187086.tif 000004
【図３】
2009187086.tif 000005
【図４】
2009187086.tif 000006
【図５】
2009187086.tif 000007
【図６】
2009187086.tif 000008
【図７】
2009187086.tif 000009
【図８】
2009187086.tif 000010
【図９】
2009187086.tif 000011
【図１０】
2009187086.tif 000012
【図１１】
2009187086.tif 000013
【図１２】
2009187086.tif 000014
【図１３】
2009187086.tif 000015
【図１４】
2009187086.tif 000016
【図１５】
2009187086.tif 000017